(57)【特許請求の範囲】
【請求項１】
モータと、このモータで駆動されて回転するカッターと、このモータの電源スイッチと、このモータとカッターと電源スイッチ等を収納する本体ケースと、この本体ケースの前面側に着脱自在に装着されるとともに後方に突出するリブを有する受箱と、前記本体ケースの前面側に設けられて鉛筆を前記カッター側へ挿入する挿入口と、前記挿入口と前記電源スイッチ間に介装されるとともにスプリングで弾持されたスイッチレバーと、前記本体ケースの前部内面に設けられ、スプリングで前部方向に付勢されるとともに前記受箱のリブに対応する安全レバーを備え、前記電源スイッチは、受け箱から離れた位置に配され、前記受箱を本体ケースに装着した状態で受箱のリブで安全レバーを後方に押してスイッチレバーを電源スイッチ作動位置に保ち前記挿入口より鉛筆を挿入すると電源スイッチを動作させ、前記受箱を取り外した状態で安全レバーの押圧を解除してスプリングで前方に移動させてスイッチレバーを電源スイッチ作動位置から逃げる方向に移動させるようにしたことを特徴とする電気鉛筆削り機。
【発明の詳細な説明】
【０００１】
【発明の属する技術分野】
本発明は、安全性向上のためのインターロック機構を備えた電気鉛筆削り機に関する。
【０００２】
【従来の技術】
電気鉛筆削り機においては、削り屑の受箱を取り外した状態のとき、内部のカッター部が露出するため、インターロック機構を設けて安全を図っている。以下に従来の電気鉛筆削り機のインターロック機構について説明する。
【０００３】
図７は従来のインターロック機構を有する電気鉛筆削り機の斜視図、図８は同インターロック機構を示す断面図である。
【０００４】
図７および図８に示すように、電気鉛筆削り機の本体ケース１の前面には、鉛筆の挿入口２があり、ここから鉛筆を挿入すると内部のスイッチレバー３が移動して電源スイッチ４を作動させ、モータ５が回転する。モータ５の回転は、歯車６、７、８を介してカッター９を備えたカッターホルダー１０に伝達され、カッター９の回転により鉛筆を切削する。１１はスイッチレバー３の付勢用のスプリングである。
【０００５】
前記カッターホルダー１０はカッター９を具備しているので露出した状態は危険であり、したがって、その前部側は本体ケース１に装着された受箱１２にて覆って保護されている。すなわち、受箱１２が装着されていなく前記カッターホルダー１０に触手可能な状態のときは、鉛筆を挿入しても電源が入らないインターロック機構になっている。
【０００６】
具体的には図８に示すように、受箱１２を本体ケース１に装着した状態では、スイッチレバー３は受箱１２にビス１３により固定された受箱ツマミ１４に突設されたリブ１５によつて位置規制され、図示ａ方向には逃げなくなっており、鉛筆の挿入時にはスイッチレバー３をリブ１５端面にて押圧し、電源スイッチ４を投入することができるが、受箱１２を本体ケース１から取り外すと、リブ１５による位置規制がなくなってスイッチレバー３はｂ点を支点としａ方向へ逃げてしまい、電源スイッチ４が切れ、カッター９の回転が停止するようになっている。
【０００７】
【発明が解決しようとする課題】
しかしながら、上記従来の構成では、受箱１２にビス１３にて固定された受箱ツマミ１４のリブ１５により直接スイッチレバー３を押圧するため、受箱１２および受箱ツマミ１４の形状をスイッチレバー３の位置まで広げなければならず、受箱１２および受箱ツマミ１４が形状的に大きくなり、デザイン的にも制約を受け、部品コストアップ等の問題点があった。
【０００８】
そこで本発明は、上記従来の問題点を解決するもので、受箱の部品点数を少なくして部品コストを削減するとともに、小型化、デザイン性の幅を広げ、安定したインターロック機構を備えた電気鉛筆削り機を提供することを目的とする。
【０００９】
【課題を解決するための手段】
上記課題を解決するために本発明は、受箱を本体ケースに装着した状態で、受箱の後方に突出したリブにて安全レバーを押圧移動させることにより、スイッチレバーを電源スイッチ作動位置に規制し、また、受箱を本体ケースから外した状態で、安全レバーの押圧を解いてスプリングにより前方移動させ、スイッチレバーを電源スイッチ作動位置より逃げる方向に移動するようにしたものである。
【００１０】
本発明によれば、受箱の部品点数を少なくして部品コストを削減でき、受箱の小型化、デザイン性の幅を広げ、安定したインターロック機構を備えもつ電気鉛筆削り機とすることができる。
【００１１】
【発明の実施の形態】
本発明の請求項１に記載の発明は、モータと、このモータで駆動されて回転するカッターと、このモータの電源スイッチと、このモータとカッターと電源スイッチ等を収納する本体ケースと、この本体ケースの前面側に着脱自在に装着されるとともに後方に突出するリブを有する受箱と、前記本体ケースの前面側に設けられて鉛筆を前記カッター側へ挿入する挿入口と、前記挿入口と前記電源スイッチ間に介装されるとともにスプリングで弾持されたスイッチレバーと、前記本体ケースの前部内面に設けられ、スプリングで前部方向に付勢されるとともに前記受箱のリブに対応する安全レバーを備え、前記受箱を本体ケースに装着した状態で受箱のリブで安全レバーを後方に押してスイッチレバーを電源スイッチ作動位置に保ち、前記受箱を取り外した状態で安全レバーの押圧を解除してスプリングで前方に移動させてスイッレバーを電源スイッチ動位置から逃げる方向に移動させるようにした電気鉛筆削り機であり、インターロック機能をもつ受箱は部品点数を少なくして構成できるので部品コストを削減でき、また、受箱を小型化でき、そのデザイン性の幅を広げ、安定したインターロック動作ができるという作用を有する。
【００１２】
以下、本発明の実施の形態を図面を参照して説明する。
（実施の形態１）
図１は本発明の実施の形態１の電気鉛筆削り機の斜視図、図２は同電気鉛筆削り機の横断面図、図３は同電気鉛筆削り機におけるスイッチレバー部の一部切り欠き断面図、図４は同スイッチレバー部の正面図、図５は同電気鉛筆削り機における受箱装着時の要部縦断面図、図６は同電気鉛筆削り機の受箱取はずし時の断面図である。
【００１３】
図１に示すように、本体ケース１６の前面部には、鉛筆の挿入口１８が設けられており、その下部に削り屑の受箱１７が着脱自在に装着されている。１９は本体ケース１６から導出する電源コードであり、その先端部には給電プラグ２０が接続されている。
【００１４】
図２に示すように、挿入口１８内方には、カッターホルダー２１やカッター２２が設けられている。また、本体ケース１６内部には、モータ２３が配設されており、その回転は歯車２４、２５、２６を介してカッターホルダー２１に伝達されるようになっている。また、カッターホルダー２１側方には削り屑の回収室２７が設けられている。
【００１５】
鉛筆の挿入口１８の側方にはスイッチレバー２８が設けられている。このスイッチレバー２８の側面形状は略Ｕ字形であり、その先端部は鉛筆２９の挿入口１８まで延出し、また、後端部はモータ２３の下方に配置された電源スイッチ３０の前方に位置している。
【００１６】
このスイッチレバー２８の先端近くはスプリング３１に弾持されている。図中の３５は安全レバー、３６はスプリングであり、これらについては後述する。
【００１７】
図３、図４に示すように、スイッチレバー２８の先端部近くはスプリング３１に弾持されているが、スプリング３１が伸びようとするばね力によって、スイッチレバー２８は本体ケース１６内に設けられた壁３２と３３に押さえ付けられつつ保持されている。
【００１８】
図５に示すように、本体ケース１６の前面部の内側にはボス３４を軸として摺動する安全レバー３５を設けてあり、この安全レバー３５はスプリング３６によって本体ケース１６の前面部の内側方向に付勢されている。また、受箱１７の前板の外周には、後方に突出し前記安全レバー３５を後方に押圧するリブ３７を設けてあり、安全レバー３５は後方に移動したとき、スイッチレバー２８の位置を規制する関係をもたせている。
【００１９】
上記構成において、図２に示すように受箱１７を本体ケース１６に装着した状態では、安全レバー３５は受箱１７の前板の外周のリブ３７により押圧され、スプリング３６に抗して後方に移動し、スイッチレバー２８の位置を電源スイッチ３０を動作させる位置に規制する。ここで挿入口１８より鉛筆２９を挿入すると、スイッチレバー２８は鉛筆２９で押され、安全スイッチ３５の平面部を滑りながら図示Ｃ方向へ移動し、電源スイッチ３０を投入し、モータ２３が回転する。この回転は、歯車２４〜２６を介してカッターホルダー２１に伝達され、カッター２２により鉛筆２９を切削する。
【００２０】
図６に示すように、受箱１７を本体ケース１６より取り外した状態では、安全レバー３５はスプリング３６のばね力により本体ケース１６の前部の内面に押し付けられて係止される。ここで鉛筆２９を挿入すると、スイッチレバー２８は安全レバー３５による位置規制が解除されているので、図示ｄ部を支点としてｅ方向に回転しつつｆ方向へ移動するが、ｅ方向へ回転したことにより、その後端部は電源スイッチ３０を動作させる位置より逃げているので、ｆ方向へ移動しても電源スイッチは投入されず、モータ２３は回転しない。
【００２１】
このように、受箱１７を本体ケース１６から取り外した状態で鉛筆２９を挿入してもカッター２２は回転しないので、極めて安全な電気鉛筆削り機とすることができる。
【００２２】
【発明の効果】
以上説明したように本発明は、受箱を本体ケースから取り外した状態で、安全レバーがスイッチレバーの位置規制を解除して電源スイッチ作動位置から逃げる方向に移動するように構成しているので、前記受箱を本体ケースから取り外した状態では、鉛筆を挿入しても電源スイッチは入らず、したがって、カッターが回転しない安全な電気鉛筆削り機を得ることができる。しかも、受箱にビスにて固定していた突部を有する受箱ツマミを廃止できるので、部品点数を削減してコストダウンができる。また、受箱のリブで安全レバーを移動させてスイッチレバーの位置規制が可能となるので、受箱の形状をフレキシブルに取ることができ、デザイン性に富んだ形状が可能となるとともに、形状も小型化できるという効果を有する。
【図面の簡単な説明】
【図１】本発明の実施の形態１の電気鉛筆削り機の斜視図
【図２】同電気鉛筆削り機の横断面図
【図３】同電気鉛筆削り機におけるスイッチレバー部の一部切り欠き断面図
【図４】同スイッチレバー部の正面図
【図５】同電気鉛筆削り機における受箱装着時の要部縦断面図
【図６】同電気鉛筆削り機の受箱取はずし時の断面図
【図７】従来のインターロック機構を有する電気鉛筆削り機の斜視図
【図８】同インターロック機構を示す断面図
【符号の説明】
１６  本体ケース
１７  受箱
１８  挿入口
１９  電源コード
２０  電源プラグ
２１  カッターホルダー
２２  カッター
２３  モータ
２４  歯車
２５  歯車
２６  歯車
２７  屑回収部
２８  スイッチレバー
２９  鉛筆
３０  電源スイッチ
３１  スプリング
３２  ケース壁
３３  ケース壁
３４  ボス
３５  安全レバー
３６  スプリング
３７  受箱リブ
３８  ケース壁
【図１】
0003758270.tif 000002
【図２】
0003758270.tif 000003
【図３】
0003758270.tif 000004
【図４】
0003758270.tif 000005
【図５】
0003758270.tif 000006
【図６】
0003758270.tif 000007
【図７】
0003758270.tif 000008
【図８】
0003758270.tif 000009